【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
被保管物の保管を行う施錠可能な区画を複数有する重要物管理装置であって、
区画を解錠する際に利用目的が入力される入力手段と、
前記入力手段に利用目的が入力されると、当該利用目的に対応する区画を表示する表示手段と、
前記表示手段に表示された区画の中から利用する区画が選択入力される選択手段とを備えることを特徴とする重要物管理装置。
【請求項２】
前記表示手段は、前記入力手段に複数の利用目的が入力されると、当該複数の利用目的の少なくとも何れか一つに対応する全ての区画を表示することを特徴とする請求項１記載の重要物管理装置。
【請求項３】
前記表示手段は、前記入力手段に複数の利用目的が入力されると、当該複数の利用目的の全てに対応する区画のみを表示することを特徴とする請求項１記載の重要物管理装置。
【請求項４】
前記表示手段は、予め設定された優先度が高い順に区画を表示することを特徴とする請求項１から３の何れか一項記載の重要物管理装置。
【請求項５】
被保管物の保管を行う施錠可能な区画を複数有する重要物管理装置であって、
区画を解錠する際に利用目的が入力される入力手段と、
複数の区画を、予め設定された優先度が高い順に表示する表示手段とを備えることを特徴とする重要物管理装置。
【手続補正２】
【補正対象書類名】明細書
【補正対象項目名】０００６
【補正方法】変更
【補正の内容】
【０００６】
上記目的を達成するために、本発明の第１の態様は、被保管物の保管を行う施錠可能な区画を複数有する重要物管理装置であって、区画を解錠する際に利用目的が入力される入力手段と、前記入力手段に利用目的が入力されると、当該利用目的に対応する区画を表示する表示手段と、前記表示手段に表示された区画の中から利用する区画が選択入力される選択手段とを備えることを特徴とする。
【手続補正３】
【補正対象書類名】明細書
【補正対象項目名】０００８
【補正方法】変更
【補正の内容】
【０００８】
また、入力手段に利用目的が入力されると、当該利用目的に対応する区画を表示手段が表示することになり、表示手段に表示された区画の中から利用する区画が、選択手段に選択入力されるため、入力した利用目的に対応する区画の中から利用する区画を選択し解錠して被保管物を取り出す際の手間を減らすことが可能となる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明の第２の態様は、上記第１の態様において、前記表示手段は、前記入力手段に複数の利用目的が入力されると、当該複数の利用目的の少なくとも何れか一つに対応する全ての区画を表示することを特徴とする。
【手続補正１４】
【補正対象書類名】明細書
【補正対象項目名】００１９
【補正方法】変更
【補正の内容】
【００１９】
上記第２の態様によれば、入力手段に複数の利用目的が入力されると、当該複数の利用目的の少なくとも何れか一つに対応する全ての区画を表示手段が表示することになり、表示手段に表示された区画の中から利用する区画が、選択手段に選択入力されるため、入力した複数の利用目的の少なくとも何れか一つに対応する区画の中から利用する区画を選択し解錠して被保管物を取り出す際の手間を減らすことが可能となる。
【手続補正１５】
【補正対象書類名】明細書
【補正対象項目名】００２０
【補正方法】変更
【補正の内容】
【００２０】
本発明の第３の態様は、上記第１の態様において、前記表示手段は、前記入力手段に複数の利用目的が入力されると、当該複数の利用目的の全てに対応する区画のみを表示することを特徴とする。
【手続補正１６】
【補正対象書類名】明細書
【補正対象項目名】００２１
【補正方法】変更
【補正の内容】
【００２１】
上記第３の態様によれば、入力手段に複数の利用目的が入力されると、当該複数の利用目的の全てに対応する区画のみを表示手段が表示することになり、表示手段に表示された区画の中から利用する区画が、選択手段に選択入力されるため、入力された複数の利用目的の全てに対応する区画の中から利用する区画を選択し解錠して被保管物を取り出す際の手間を減らすことが可能となる。
【手続補正１７】
【補正対象書類名】明細書
【補正対象項目名】００２２
【補正方法】変更
【補正の内容】
【００２２】
本発明の第４の態様は、上記第１から第３の何れか一態様において、前記表示手段は、予め設定された優先度が高い順に区画を表示することを特徴とする。
【手続補正１８】
【補正対象書類名】明細書
【補正対象項目名】００２３
【補正方法】変更
【補正の内容】
【００２３】
上記第４の態様によれば、表示手段が、予め設定された優先度が高い順に区画を表示するため、優先度を利用者に認識させることができる。
【手続補正１９】
【補正対象書類名】明細書
【補正対象項目名】００２４
【補正方法】変更
【補正の内容】
【００２４】
本発明の第５の態様は、被保管物の保管を行う施錠可能な区画を複数有する重要物管理装置であって、区画を解錠する際に利用目的が入力される入力手段と、複数の区画を、予め設定された優先度が高い順に表示する表示手段とを備えることを特徴とする。
【手続補正２０】
【補正対象書類名】明細書
【補正対象項目名】００２５
【補正方法】変更
【補正の内容】
【００２５】
上記第５の態様によれば、区画を解錠する際に利用目的が入力される入力手段を備えるため、区画を解錠して被保管物を取り出す際の手間を減らすことが可能となる。
【手続補正２１】
【補正対象書類名】明細書
【補正対象項目名】００２６
【補正方法】変更
【補正の内容】
【００２６】
また、表示手段が、予め設定された優先度が高い順に区画を表示するため、優先度を利用者に認識させることができる。
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】